(57)【特許請求の範囲】
【請求項１】
筐体と、
乗りかごとつり合い錘との間に接続され主ロープの重さの偏りを補償するコンペンロープを案内するコンペンプーリが回転自在に支持されるコンペンプーリ枠に設けられ前記筐体を貫く第一のロッドと、
前記第一のロッドに案内され、前記筐体と前記コンペンプーリ枠との間で伸縮する緩衝ばねと、
エレベーターが非常停止して前記筐体が上向きの力を受けた際に、前記筐体の上下方向の移動を案内するタイダウンレールの案内部に前記筐体を制止させて拘束する制止機構と、を備えるタイダウン装置において、
前記筐体は、前記第一のロッドが貫通する貫通孔を有し、
前記第一のロッドは外周に第一のネジ山を有し、
前記第一のロッドの前記第一のネジ山に螺合し、前記筐体を挟んで前記コンペンプーリ枠と反対側に配置され、水平断面において前記第一のロッドを軸にして回転させた場合に、何れの回転角度であっても前記貫通孔と重ならない領域を少なくとも一部に有する係止部材を更に備え、
前記第一のネジ山は、前記制止機構によって前記筐体が前記タイダウンレールの前記案内部に拘束された場合に、前記係止部材を回して締めることで前記係止部材と前記筐体とが接触可能となる位置まで設けられることを特徴とする、タイダウン装置。
【請求項２】
請求項１において、
前記緩衝ばねは、通常運転時は前記筐体と接触していないことを特徴とする、タイダウン装置。
【請求項３】
請求項１において、
前記制止機構による前記筐体の拘束状態を解除する解除機構をさらに備えることを特徴とするタイダウン装置。
【請求項４】
請求項３において、
前記制止機構は、前記筐体に設けられ前記タイダウンレールの前記案内部と対向しつつ上方に向かって前記案内部から離れる方向に傾斜する傾斜面と、前記傾斜面と前記案内部との間に配設された摩擦係合部材とによって構成され、
前記解除機構は、前記摩擦係合部材に設けられ上方へ延び、かつ、外周に第二のネジ山を有する第二のロッドと、
前記筐体に設けられ前記第二のロッドが前記筐体の外部に突出するための切欠きと、
前記第二のロッドにおける前記第二のネジ山に螺合し前記筐体の外側に配置され、水平断面において前記第二のロッドを軸にして回転させた場合に、いずれの回転角度であっても前記切欠きと重ならない領域を少なくとも一部に有する回転部材と、によって構成されることを特徴とするタイダウン装置。
【請求項５】
前記乗りかごと、前記つり合い錘と、前記コンペンロープと、前記コンペンプーリと、前記コンペンプーリ枠と、前記タイダウンレールと、
請求項１ないし４のいずれか一項に記載のタイダウン装置を備えることを特徴とするエレベーター。
【請求項６】
筐体と、
乗りかごとつり合い錘との間に接続され主ロープの重さの偏りを補償するコンペンロープを案内するコンペンプーリが回転自在に支持されるコンペンプーリ枠に設けられ前記筐体を貫く第一のロッドと、
前記第一のロッドに案内され、前記筐体と前記コンペンプーリ枠との間で伸縮する緩衝ばねと、
エレベーターが非常停止して前記筐体が上向きの力を受けた際に、前記筐体の上下方向の移動を案内するタイダウンレールの案内部に前記筐体を制止させて拘束する制止機構と、を備えるタイダウン装置の復帰方法であって、
前記制止機構によって前記タイダウン装置が前記案内部に拘束された際、前記第一のロッドの前記筐体を挟んで前記コンペンプーリ枠と反対側に螺着する係止部材を前記筐体と接触するまで回して締める接触工程と、前記接触工程後に前記制止機構の拘束状態を解除する解除工程と、前記解除工程後に前記係止部材を回して緩める解放工程と、を含むことを特徴とするタイダウン装置の復帰方法。
【発明の詳細な説明】
【技術分野】
【０００１】
本発明は、タイダウン装置、このタイダウン装置を備えるエレベーター、タイダウン装置の復帰方法に関する。
【背景技術】
【０００２】
エレベーターにおいて、乗りかご及びつり合い錘の昇降中に生じる、主ロープの乗りかご側とつり合い錘側との重さの偏りを補償するために、乗りかごの下部とつり合いおもりとを連結するコンペンロープが備えられる場合がある。このようなエレベーターには、乗りかご及びつり合い錘が昇降する際にコンペンロープが昇降路内で暴れて他の部品にぶつからないように、コンペンロープを案内し、張力を与えるためのコンペンプーリと、エレベーターが非常停止した際、瞬間的な減速度によってつり合い錘が飛び上がることで、巻上機の綱車から主ロープが外れたり、コンペンロープの引き上げによってコンペンプーリが跳ね上がったりしてしまわないように、コンペンプーリの跳ね上がりを規制するタイダウン装置が設けられる。また、エレベーターが非常停止してタイダウン装置が動作した後、安全が確認された場合には、保守員によってタイダウン装置を復帰させる必要がある。タイダウン装置を復帰させる治具として、例えば特許文献１（特開２０００−１１８９１３）が知られる。
【０００３】
特許文献１には、「本体枠内に設けられた複数のウエッジの下方にそれぞれウエッジ引きボルトが突設されていると共に、これらのウエッジ引きボルトを介して前記ウエッジを下方へ弾性付勢する複数の押しばねが配設されているエレベータのタイダウン装置に対し、前記ウエッジを開放させるために用いられるウエッジ開放治具を、前記ウエッジ引きボルトの下端部と係合可能な係合手段を上端部に有する押しボルトと、この押しボルトを螺合状態で保持する下部螺合体と前記本体枠上に搭載される上部載せ体とを連結体にて連結してなる支持部材とを備える構成とする」という記載がある。
【先行技術文献】
【特許文献】
【０００４】
【特許文献１】特開２０００−１１８９１３号公報
【発明の概要】
【発明が解決しようとする課題】
【０００５】
特許文献１に記載のタイダウン装置は、タイダウンレールによって上下方向へ移動可能に案内されており、コンペンプーリの上方に位置している。また、一般的にコンペンプーリはコンペンプーリ枠によって回転自在に支持されており、コンペンプーリ枠には上方に延びる案内棒が設けられ、この案内棒（ロッド）はタイダウン装置を貫いている。さらに、このようなタイダウン装置には、タイダウン装置の筐体とコンペンプーリ枠との間に、案内棒によって案内される緩衝ばね（タイダウンばね）が設けられており、コンペンプーリ枠とタイダウン装置との距離が近づくことで圧縮される。
【０００６】
しかし、エレベーターが非常停止し、コンペンロープが引き上げられた状態でタイダウン装置が動作した場合、特許文献１に記載のタイダウン装置を復帰させる治具を保守員が使用すると、緩衝ばねに溜まった弾性力が解放され、タイダウン装置が跳ね上がり保守員にとって大変危険である。したがって、コンペンロープが引き上げられた状態でタイダウン装置が動作した場合には、タイダウン装置の復帰作業中にタイダウン装置が跳ね上がらないように、チェーンブロックやジャッキを用いてタイダウン装置の跳ね上がりを抑制しながらタイダウン装置を復帰させなければならず、多くの労力を費やしていた。
【課題を解決するための手段】
【０００７】
本発明は、上記課題を解決するため、筐体と、乗りかごとつり合い錘との間に接続され主ロープの重さの偏りを補償するコンペンロープを案内するコンペンプーリが回転自在に支持されるコンペンプーリ枠に設けられ前記筐体を貫く第一のロッドと、前記第一のロッドに案内され、前記筐体と前記コンペンプーリ枠との間で伸縮する緩衝ばねと、エレベーターが非常停止して前記筐体が上向きの力を受けた際に、前記筐体の上下方向の移動を案内するタイダウンレールの案内部に前記筐体を制止させて拘束する制止機構と、を備えるタイダウン装置において、前記筐体は、前記第一のロッドが貫通する貫通孔を有し、前記第一のロッドは外周に第一のネジ山を有し、前記第一のロッドの前記第一のネジ山に螺合し、前記筐体を挟んで前記コンペンプーリ枠と反対側に配置され、水平断面において前記第一のロッドを軸にして回転させた場合に、何れの回転角度であっても前記貫通孔と重ならない領域を少なくとも一部に有する係止部材を更に有し、前記第一のネジ山は、前記制止機構によって前記筐体が前記タイダウンレールの前記案内部に拘束された場合に、前記係止部材を回して締めることで前記係止部材と前記筐体とが接触可能となる位置まで設けられる構成とした。
【発明の効果】
【０００８】
本発明によれば、従来のように大きな器具を使用せずに、安全にタイダウン装置を復帰させることができる。
【図面の簡単な説明】
【０００９】
【図１】本発明が適用されるエレベーターの概略構成図
【図２】本発明に係る通常運転時におけるタイダウン装置と周辺部材との接続関係を説明する正面図
【図３】本発明に係る非常停止時におけるタイダウン装置と周辺部材との接続関係を説明する正面図
【図４】タイダウン装置の拘束状態解除時においてタイダウン装置の跳ね上がりを防止している状態を説明する正面図
【図５】タイダウン装置の制止機構と解除機構の構成を説明する側面図
【図６】解除機構によって制止機構による拘束状態を解除した状態を示す側面図
【発明を実施するための形態】
【００１０】
以下、実施例を図面を用いて説明する。
【実施例】
【００１１】
図１は、タイダウン装置が設けられるエレベーターの概要を示す。本発明に係るエレベーターは、巻上機のシーブ１およびそらせ車２に巻き付けた主ロープ３によってつるべ状に懸架される乗りかご４およびつり合い錘５と、乗りかご４およびつり合い錘５に連結され、主ロープ３の重さの偏りを補償するコンペンロープ６と、コンペンロープ６を案内し張力を与えるコンペンプーリ７と、通常時運転時にコンペンロープ６に張力を与え、非常停止時にコンペンプーリ７が跳ね上がらないように位置規制するタイダウン装置８と、タイダウン装置８の上下動の移動を案内するタイダウンレール１５と、乗りかご４の昇降速度が規定値を超えたことを検出した際に乗りかご４を乗りかごガイドレール９に拘束する乗りかご非常止め装置１０と、乗りかご非常止め１０が動作したのと同期してつり合い錘５をつり合い錘ガイドレール１１に拘束するつり合い錘非常止め装置１２を備えている。なお、図１ではコンペンプーリ枠１３は省略した。
【００１２】
図２は、通常運転時のタイダウン装置と周辺装置との接続関係を示す。タイダウン装置８は、タイダウン装置８の上部に設けられタイダウン装置８の自重を支える自重保持ユニット１４によってタイダウンレール１５の案内部１５ａに保持されている。
【００１３】
ここで、本実施例における自重保持ユニット１４は、案内部１５ａを挟むように対向して配置される２つの保持ボディ１４ａと、保持ボディ１４ａの案内部１５ａと対向する面に配置される摩擦シュー１４ｂと、一端が一方の保持ボディ１４ａに接続され、他方の保持ボディ１４ａを貫通し、他端にバネ座部を有する図示しない案内棒と、他方の保持ボディ１４ａとバネ座部との間に配設され図示しない案内棒に案内される保持バネ１４ｃによって構成される。したがって、タイダウン装置８の自重以上の力が自重保持ユニット１４に加わった場合には、自重保持ユニット１４はタイダウン装置８と共に案内部１５ａに沿って上下動する。また、図示しないコンペンプーリ７はコンペンプーリ枠１３に回転自在に支持されている。
【００１４】
さらに、タイダウン装置８は、上部１６ａ、中部１６ｂ、下部１６ｃで構成される筐体１６と、コンペンプーリ枠１３に設けられ上方に延び、タイダウン装置を貫通し外周に第一のネジ山１７ａを有する第一のロッド１７と、筐体１６の下部１６ｃを貫通し、コンペンプーリ枠１３の上部と筐体１６の上部１６ａとの間で伸縮する緩衝ばね１８と、第一のロッド１７に螺合し、筐体１６の外側に配置された係止部材１９によって構成される。加えて、筐体１６の上部１６ａには第一のロッド１７が外部に突出するための貫通孔２０が設けられている。なお、本実施例では、係止部材１９はカラーとしているが、ナットでも良い。
【００１５】
ここで、係止部材１９は、タイダウン装置８の水平断面において、第一のロッド１７を軸にして係止部材１９を回転させた場合、いずれの回転角度であっても貫通孔２０と重ならない領域を少なくとも一部に有する。
【００１６】
さらに、タイダウン装置８の筐体１６には、筐体１６が上向きの力を受けた際に筐体１６をタイダウンレール１５の案内部１５ａに拘束する制止機構Ａが設けられている（図２への記載は省略）。なお、制止機構Ａの具体的な構成は後述する。
【００１７】
次に、以上のように構成されたタイダウン装置を備えるエレベーターが非常停止した際のタイダウン装置の動作について説明する。
【００１８】
例えば、乗りかご４が下降中に乗りかご非常止め装置１０が動作した際、つり合い錘５は慣性で跳ね上がり、コンペンロープ６は引き上げられる。コンペンロープ６が引き上げられると、コンペンロープ６が支持されるコンペンプーリ枠１３が引き上げられ、緩衝ばね１８を介してタイダウン装置８の筐体１６が上方向の力を受ける。タイダウン装置８の筐体１６には上方向に力を受けると動作する制止機構Ａが設けられているため、制止機構Ａによって筐体１６はタイダウンレール１５の案内部１５ａに拘束される。
【００１９】
ここで、コンペンプーリ７はコンペンロープ６に引き上げられることで上昇方向の運動エネルギーを得て上昇し続けるが、タイダウン装置８がタイダウンレール１５に拘束された後、上昇し続けるコンペンプーリ７は緩衝ばね１８を圧縮することで運動エネルギーを吸収されるとともに、緩衝ばね１８から上昇を妨げる弾性力を受けるため、停止させられる。したがって、タイダウン装置８はコンペンロープ６およびコンペンプーリ７の跳ね上がり（上昇）を規制することが出来る。
【００２０】
なお、地震などによって制止機構Ａが誤作動しないよう、通常運転時は緩衝ばね１８と筐体１６との間に隙間があるように緩衝ばね１８を配設してもよい。
【００２１】
図３は非常停止時のタイダウン装置と周辺部材との接続関係を示す。慣性によって跳ね上がったつり合い錘５は、落下しないようつり合い錘非常止め装置１２によってつり合い錘ガイドレール１１に拘束される。したがって、コンペンロープ６は引き上げられたままの状態となり、タイダウン装置８はタイダウンレール１５に拘束されているため、非常停止時、筐体１６とコンペンプーリ枠１３との間の緩衝ばね１３は圧縮されたままとなり、弾性力が溜まった状態となっている。
【００２２】
また、エレベーターが非常停止する別の例として、昇降路の下部に設けられるバッファ（図示しない）につり合い錘５が衝突した場合が挙げられる。この場合、エレベーターの駆動装置は停止するが、乗りかご非常止め装置１０が動作するまでの間、慣性によって乗りかご４は上昇するため、コンペンロープ６が引き上げられた状態となり、筐体１６とコンペンプーリ枠１３との間の緩衝ばね１３は圧縮されたままとなり、弾性力が溜まった状態となる。
【００２３】
次に、本発明のように構成したタイダウン装置を備えるエレベーターの復帰について説明する。
【００２４】
非常停止後、安全が確認されると、乗りかご非常止め装置１０、つり合い錘非常止め装置１２、タイダウン装置８の制止機構Ａの拘束状態を解除する必要がある。乗りかご非常止め装置１０およびつり合い錘非常止め装置１２は一度上方に持ち上げられることで拘束状態が解除されるが、タイダウン装置８によってコンペンロープ６の上昇が規制されているため、まず制止機構Ａの拘束状態を解除する必要がある。しかし、緩衝ばね１８には弾性力が溜まった状態のままであるため、そのまま制止機構Ａの拘束状態を解除してしまうと、緩衝ばね１８の弾性力が解放されてタイダウン装置８が跳ね上がってしまう。
【００２５】
図４はタイダウン装置の拘束状態解除時においてタイダウン装置の跳ね上がりを防止している状態を示す。
【００２６】
図４に示すように、第一のロッド１７に設けられた第一のネジ山１７ａは、係止部材１９を回して下げる（締める）ことで筐体１６の上部１６ａと接触可能となる位置まで設けられている。このように係止部材１９を筐体１６と接触させることで、緩衝ばね１８の弾性力をコンペンプーリ枠１３と係止部材１９との間に持たせることが出来る。本明細書において、係止部材を回して締め、筐体１６と接触させる工程を接触工程と定義する。
【００２７】
これによって、制止機構Ａの拘束状態を解除しても、緩衝ばね１８の弾性力はコンペンプーリ枠１３と係止部材１９との間で保持されるため、タイダウン装置８が跳ね上がることはなく、制止機構Ａの拘束状態を安全に解除することが出来る。なお、本明細書において、制止機構の拘束状態を解除する工程を解除工程と定義する。
【００２８】
この解除工程の後、係止部材１９を回して上げる（緩める）ことで、緩衝ばね１８の弾性力を除々に解放することが可能である。ここで、本明細書において、係止部材１９を回して緩め、緩衝ばね１８の弾性力を除々に解放する工程を解放工程と定義する。
【００２９】
図５はタイダウン装置の制止機構を示す。制止機構Ａは、筐体１６の中部１６ｂに設けられタイダウンレール１５の案内部１５ａを挟んで対向しつつ上方に向かって案内部１５ａから離れる方向に傾斜する傾斜面２１と、傾斜面２１と案内部１５ａとの間に配設されたウェッジ２２（摩擦係合部材）によって構成される。
【００３０】
このような構成により、筐体１６が上向きに力を受けると、筐体１６は上方に移動し、ウェッジ２２は筐体１６に対して相対的に下方向に移動する。ここで、筐体１６に設けられる傾斜面２１は下に向かうにつれタイダウンレール１５の案内部１５ａに近づく傾斜となっているから、傾斜面２１によってウェッジ２２が案内部１５ａに押し付けられることになり、ウェッジ２２と案内部１５ａとが摩擦係合状態となる。以上により、タイダウン装置８がタイダウンレール１５に拘束された状態となる。
【００３１】
また、タイダウン装置８は、制止機構Ａによる拘束状態を解除する解除機構Ｂを備える。解除機構Ｂは、筐体１６の上部１６ａに設けられる切欠き２４と、ウェッジ２２の上部に設けられ上方に延びて切欠き２４から筐体１６の外側へ突出し、外周に第二のネジ山２３ａが設けられた第二のロッド２３と、第二のネジ山２３ａに螺合し、水平断面において、第二のロッド２３を軸にして回転させた場合、いずれの回転角度においても切欠き２４と重ならない領域を少なくとも一部に有する回転部材２５と、によって構成される。本実施例では、回転部材２５はナットとしているが、カラーでも良い。
【００３２】
このような構成により、ウェッジ２２が案内部１５ａに拘束している状態で回転部材２５を下方向に回して締めることで筐体１６の上部１６ａに接触し、さらに回して締めることで、筐体１６に対してウェッジ２２が相対的に上方向に移動し、筐体１６の傾斜面２１によるウェッジ２２を案内部１５ａへ押し付ける力が解放され、ウェッジ２２と案内部１５ａとの間の摩擦係合状態が解除される。したがって、解除機構Ｂによって制止機構Ａによる拘束状態を解除できる（図６参照）。
【００３３】
このような解除機構Ｂの場合、解放工程中緩衝ばね１８の弾性力によって筐体１６が上向きに力を受けるが、ウェッジ２２はナット２５によって筐体１６に対して相対的に下方向に移動出来ない構成となっているため、傾斜面２１によってウェッジ２２が案内部１５ａに押し付けられることがない。したがって、解放工程中に再度制止機構Ａが動作することを防ぐことが可能となる。
【００３４】
以上説明した通り、本発明に係るタイダウン装置によれば、従来のようにチェーンブロックやジャッキを用いることなく、安全にタイダウン装置を復帰させることが可能である。
【００３５】
なお、本発明は、上述した実施例に限定するものではなく、様々な変形例が含まれる。上述した実施例は本発明を分かりやすく説明するために詳細に説明したものであり、必ずしも説明した全ての構成を備えるものに限定するものではない。
【符号の説明】
【００３６】
６      コンペンロープ
７      コンペンプーリ
８      タイダウン装置
１３    コンペンプーリ枠
１５    タイダウンレール
１５ａ  案内部
１６    筐体
１６ａ  上部
１６ｂ  中部
１６ｃ  下部
１７    第一のロッド
１７ａ  第一のネジ山
１９    係止部材
２０    貫通孔
Ａ      制止機構
Ｂ      解除機構
【図１】
0006476142.tif 000002
【図２】
0006476142.tif 000003
【図３】
0006476142.tif 000004
【図４】
0006476142.tif 000005
【図５】
0006476142.tif 000006
【図６】
0006476142.tif 000007